(57)【要約】【課題】生体試料に由来するＦＩＤ信号取得にあたり高磁場を不要とする特性評価方法、装置およびプログラムを提供する。【解決手段】生体試料の特性を評価する方法であって、生体試料内に存在する軽水のうちの自由水に由来するプロトンの共鳴周波数を観測中心としてＮＭＲ装置を設定するステップと、設定されたＮＭＲ装置を用いて生体試料に由来するＦＩＤ信号を取得するステップと、ＦＩＤ信号全体にわたって短時間周波数解析を繰り返すことにより、８８Ｈｚ以上２１Ｈｚ以下の周波数分解能でスペクトログラムを算出するステップと、を含む。これにより、ＦＩＤ信号取得に高磁場は不要となり、コスト低減が可能になる。例えば、永久磁石による磁場を用いることもできる。【選択図】図１
2019158868.tif 000002
【特許請求の範囲】
【請求項１】
生体試料の特性を評価する方法であって、
前記生体試料内に存在する軽水のうちの自由水に由来するプロトンの共鳴周波数を観測中心としてＮＭＲ装置を設定するステップと、
前記設定されたＮＭＲ装置を用いて前記生体試料に由来するＦＩＤ信号を取得するステップと、
前記ＦＩＤ信号全体にわたって短時間周波数解析を繰り返すことにより、８８Ｈｚ以上２１Ｈｚ以下の周波数分解能でスペクトログラムを算出するステップと、を含むことを特徴とする特性評価方法。
【請求項２】
事前に前記生体試料を準備するステップをさらに含み、
前記生体試料は、被検体から採取された純粋試料そのもの、または前記純粋試料に重水が混合されることで前記純粋試料の体積濃度が０．５％以上１００％未満に調整されたものとして、準備されることを特徴とする請求項１に記載の特性評価方法。
【請求項３】
前記スペクトログラムにおいて、前記軽水の共鳴周波数を基準として、−１４００Ｈｚ以上１４００Ｈｚ以下の範囲内のスペクトログラムデータを抽出するステップと、
前記スペクトログラムデータを用いて、前記生体試料の特性を評価するステップと、をさらに含むことを特徴とする請求項１または請求項２記載の特性評価方法。
【請求項４】
前記ＦＩＤ信号は、シングルパルス法の応答信号として取得することを特徴とする請求項１から請求項３のいずれかに記載の特性評価方法。
【請求項５】
ダンテパルス法により、前記自由水のプロトンに由来する共鳴信号を抑制することを特徴とする請求項１から請求項４のいずれかに記載の特性評価方法。
【請求項６】
生体試料の特性を評価する装置であって、
前記生体試料内に存在する軽水のうちの自由水に由来するプロトンの共鳴周波数が観測中心として設定されたＮＭＲ装置を用いて取得された前記生体試料に由来するＦＩＤ信号全体にわたって短時間周波数解析を繰り返すことにより、８８Ｈｚ以上２１Ｈｚ以下の周波数分解能でスペクトログラムを算出する算出部と、
前記スペクトログラムにおいて、前記軽水の共鳴周波数を基準として、−１４００Ｈｚ以上１４００Ｈｚ以下の範囲内のスペクトログラムデータを抽出する抽出部と、
前記スペクトログラムデータを用いて、前記生体試料の特性を出力する出力部と、を備えることを特徴とする装置。
【請求項７】
生体試料の特性を評価するプログラムであって、
前記生体試料内に存在する軽水のうちの自由水に由来するプロトンの共鳴周波数が観測中心として設定されたＮＭＲ装置を用いて取得された前記生体試料に由来するＦＩＤ信号全体にわたって短時間周波数解析を繰り返すことにより、８８Ｈｚ以上２１Ｈｚ以下の周波数分解能でスペクトログラムを算出する処理と、
前記スペクトログラムにおいて、前記軽水の共鳴周波数を基準として、−１４００Ｈｚ以上１４００Ｈｚ以下の範囲内のスペクトログラムデータを抽出する処理と、
前記スペクトログラムデータを用いて、前記生体試料の特性を出力する処理と、をコンピュータに実行させることを特徴とするプログラム。
【発明の詳細な説明】
【技術分野】
【０００１】
本発明は、生体試料の特性を評価する特性評価方法、装置およびプログラムに関する。
【背景技術】
【０００２】
血清等の体液や組織液は、高分子を含む複雑な混合物である。血清等の体液や組織液に対してＮＭＲのパルスの減衰時間を測定し、時間周波数解析すれば血清等の体液や組織液の特性を評価できることが知られている。
【０００３】
特許文献１、２記載の方法は、属性の明らかな既知混合物試料のそれぞれのＮＭＲ測定によるＦＩＤ信号を時間周波数解析し、多変量解析を行なって属性毎のデータ群に分離させて属性毎のスコアに基づく識別指標を設定している。また、被検混合物試料の合成変量に対するスコアを識別指標と比較することで、被検混合物試料の属性を識別している。
【０００４】
非特許文献１には、タンパク質の試料に対しパルスシーケンスを適用してＦＩＤ信号を取得し、時間周波数解析を使用して構造情報を抽出することで、ＮＭＲ構造生物学のための新たな信号処理アルゴリズムが記載されている。
【先行技術文献】
【特許文献】
【０００５】
【特許文献１】特開２０１４−０２０８３１号公報
【特許文献２】特開２０１５−１１４１５７号公報
【非特許文献】
【０００６】
【非特許文献１】”Extracting Structural Information Using Time-Frequency Analysis of Protein NMR Data”, Christopher James Langmead, Bruce Randall Donald, in Proceedings of the Fifth Annual International Conference on Computational Molecular Biology (RECOMB). ACM Press, 2001, pp. 164-175.
【発明の概要】
【発明が解決しようとする課題】
【０００７】
上記の方法では、ＦＩＤ信号を時間周波数解析することで局所的な情報を取得し、情報の精度を高めている。このようなＮＭＲ解析は、１Ｈｚ以下の周波数分解能で行なわれ、高磁場が必要となる。
【０００８】
しかしながら、血清等においては、生体高分子の構造の違い、生体高分子同士あるいは生体高分子とその他の低分子化合物との相互作用などがその試料を特徴づける。したがって、低分子の挙動を解析するのに適した高い周波数分解能は必ずしも必要ではない。
【０００９】
本発明は、このような事情に鑑みてなされたものであり、生体試料に由来するＦＩＤ信号取得にあたり高磁場を不要とする特性評価方法、装置およびプログラムを提供することを目的とする。
【課題を解決するための手段】
【００１０】
（１）上記の目的を達成するため、本発明の特性評価方法は、生体試料の特性を評価する方法であって、前記生体試料内に存在する軽水のうちの自由水に由来するプロトンの共鳴周波数を観測中心としてＮＭＲ装置を設定するステップと、前記設定されたＮＭＲ装置を用いて前記生体試料に由来するＦＩＤ信号を取得するステップと、前記ＦＩＤ信号全体にわたって短時間周波数解析を繰り返すことにより、８８Ｈｚ以上２１Ｈｚ以下の周波数分解能でスペクトログラムを算出するステップと、を含むことを特徴としている。このように周波数分解能が８８Ｈｚ以上２１Ｈｚ以下であれば、ＦＩＤ信号取得に高磁場は不要となり、コスト低減が可能になる。例えば、永久磁石による磁場を用いることもできる。
【００１１】
（２）また、本発明の特性評価方法は、事前に前記生体試料を準備するステップをさらに含み、前記生体試料は、被検体から採取された純粋試料そのもの、または前記純粋試料に重水が混合されることで前記純粋試料の体積濃度が０．５％以上１００％未満に調整されたものとして、準備されることを特徴としている。このように濃度を０．５％以上にするため、物質間の距離が離れすぎず、相互作用を検出できる。
【００１２】
（３）また、本発明の特性評価方法は、前記スペクトログラムにおいて、前記軽水の共鳴周波数を基準として、−１４００Ｈｚ以上１４００Ｈｚ以下の範囲内のスペクトログラムデータを抽出するステップと、前記スペクトログラムデータを用いて、前記生体試料の特性を評価するステップと、をさらに含むことを特徴としている。生体試料の重要な情報は、基準値から±１４００Ｈｚ以下に含まれているため、情報を絞って効率的に特性を評価できる。周波数分解能に加えて周波数帯域を限定することで、試算によればデータ数として５０％以上の削減が可能になる。このようにして、試料のＦＩＤ信号の解析結果である膨大なデータを半減させるとともに、診断の目的を達成できる。
【００１３】
（４）また、本発明の特性評価方法は、前記ＦＩＤ信号が、シングルパルス法の応答信号として取得することを特徴としている。これにより、不要な情報を省いて必要な情報を効率的に得ることができる。
【００１４】
（５）また、本発明の特性評価方法は、ダンテパルス法により、前記自由水のプロトンに由来する共鳴信号を抑制することを特徴としている。これにより、自由水のプロトンに由来する共鳴信号を抑制できる。
【００１５】
（６）また、本発明の装置は、生体試料の特性を評価する装置であって、前記生体試料内に存在する軽水のうちの自由水に由来するプロトンの共鳴周波数が観測中心として設定されたＮＭＲ装置を用いて取得された前記生体試料に由来するＦＩＤ信号全体にわたって短時間周波数解析を繰り返すことにより、８８Ｈｚ以上２１Ｈｚ以下の周波数分解能でスペクトログラムを算出する算出部と、前記スペクトログラムにおいて、前記軽水の共鳴周波数を基準として、−１４００Ｈｚ以上１４００Ｈｚ以下の範囲内のスペクトログラムデータを抽出する抽出部と、前記スペクトログラムデータを用いて、前記生体試料の特性を出力する出力部と、を備えることを特徴としている。これにより、ＦＩＤ信号取得に高磁場は不要となり、コスト低減が可能になる。
【００１６】
（７）また、本発明のプログラムは、生体試料の特性を評価するプログラムであって、前記生体試料内に存在する軽水のうちの自由水に由来するプロトンの共鳴周波数が観測中心として設定されたＮＭＲ装置を用いて取得された前記生体試料に由来するＦＩＤ信号全体にわたって短時間周波数解析を繰り返すことにより、８８Ｈｚ以上２１Ｈｚ以下の周波数分解能でスペクトログラムを算出する処理と、前記スペクトログラムにおいて、前記軽水の共鳴周波数を基準として、−１４００Ｈｚ以上１４００Ｈｚ以下の範囲内のスペクトログラムデータを抽出する処理と、前記スペクトログラムデータを用いて、前記生体試料の特性を出力する処理と、をコンピュータに実行させることを特徴としている。これにより、ＦＩＤ信号取得に高磁場は不要となり、コスト低減が可能になる。
【発明の効果】
【００１７】
本発明によれば、ＦＩＤ信号取得に高磁場は不要となり、コスト低減が可能になる。
【図面の簡単な説明】
【００１８】
【図１】（ａ）、（ｂ）それぞれ特性評価システム１０の構成を示す概略図および特性評価装置１００の構成を示すブロック図である。
【図２】本発明の特性評価方法を示すフローチャートである。
【図３】実施例１の測定で得られたＦＩＤ信号の一例を示すグラフである。
【図４】（ａ）、（ｂ）それぞれ実施例１で周波数分解能８７．２Ｈｚ、２１．８Ｈｚで得られたスぺクトログラムを示す図である。
【図５】実施例１で生体試料濃度１００％、周波数分解能８７．２Ｈｚの場合の健常高齢者ｖｓアルツハイマー型認知症のスコアプロットを示す図である。
【図６】実施例１で生体試料濃度１００％、周波数分解能２１．８Ｈｚの場合の健常高齢者ｖｓアルツハイマー型認知症のスコアプロットを示す図である。
【図７】実施例１で生体試料濃度０．５％、周波数分解能８７．２Ｈｚの場合の健常高齢者ｖｓアルツハイマー型認知症のスコアプロットを示す図である。
【図８】実施例１で生体試料濃度０．５％、周波数分解能２１．８Ｈｚの場合の健常高齢者ｖｓアルツハイマー型認知症のスコアプロットを示す図である。
【図９】実施例２の非膵がんｖｓ膵がんのスコアプロットを示す図である。
【図１０】実施例３の非乳がんｖｓ乳がんのスコアプロットを示す図である。
【図１１】実施例４の非浸潤がんｖｓ浸潤がんのスコアプロットを示す図である。
【図１２】実施例５でリンパ節転移ありｖｓリンパ節転移なしのスコアプロットを示す図である。
【図１３】実施例６で浸潤がんのサブタイプ(４種類)のスコアプロットを示す図である。
【図１４】実施例７で典型ＡＭＤｖｓＰＣＶのスコアプロットを示す図である。
【図１５】実施例８でＰｌａｔｅａｕ患者ｖｓＤＨ患者のスコアプロットを示す図である。
【図１６】実施例９で非グリオーマ系脳腫瘍ｖｓグリオーマ系脳腫瘍のスコアプロットを示す図である。
【図１７】実施例１０で３種類の脳疾患のスコアプロットを示す図である。
【発明を実施するための形態】
【００１９】
［１．基本原理］
運動性の異なる原子核由来のＮＭＲ信号は異なる減衰時間を有する。したがって、ＮＭＲ信号に含まれる周波数および時間に伴う信号強度情報の両方を活用すれば、試料に特有の情報を識別することができる。本発明では、生体試料（生体から採取された液体試料）に由来するＦＩＤ信号を取得し、取得されたＦＩＤ信号のスペクトログラムを算出し、算出されたスペクトログラムによって生体試料の特性を評価する。これにより、生体試料の構造および機能に関して特性を高精度で評価できる。
【００２０】
このような生体試料には、ヒトのリンパ液、血液、血清、髄液等の体液または組織液または尿が挙げられる。特に、排出されることなく体内に留まる体液や組織液は豊富な情報を有し、その中でも血清は採取しやすく生体試料として好ましい。
【００２１】
生体試料は、一つの超分子とみなすことができ、生体試料に含まれる高分子から特徴となる多くの情報を取得できる。生体試料に対して核磁気共鳴（ＮＭＲ）測定を行なって得られたＦＩＤ信号は、その生体試料を特徴づける固有の一つのデータとして取り扱うことができる。ＮＭＲ現象においては、共鳴周波数がどちらの方向にシフトし、その信号がどのような減衰特性を持つか、を正確に知ることが重要である。共鳴周波数のシフトに着目することでＮＭＲ以外の分析技術では得られない情報が得られる。
【００２２】
［２．特性評価システム］
（２−１．特性評価システム）
図１（ａ）、（ｂ）は、それぞれ特性評価システム１０の構成を示す概略図および特性評価装置１００の構成を示すブロック図である。図１（ａ）に示すように、特性評価システム１０は、ＮＭＲ装置５０および特性評価装置１００で構成されている。ＮＭＲ装置５０は、原子核を磁場の中に入れて核スピンの共鳴現象を観測することで、物質の分子構造を原子レベルで解析するための装置である。特性評価装置１００は、例えばＰＣであり、プログラムを実行できるメモリおよびプロセッサを備えている。
【００２３】
特性評価装置１００は、ＮＭＲ装置５０と接続しており、互いに情報の送受信が可能になっている。ユーザは、特性評価装置１００により、ＮＭＲ装置５０の操作およびＮＭＲ装置５０で取得したＦＩＤ信号の解析ができる。例えば、ユーザ操作により特定の周波数を観測中心としてＮＭＲ装置５０を設定することが可能である。
【００２４】
（２−２．ＮＭＲ装置）
ＮＭＲ装置５０は、磁石５１、サンプル管５５およびプローブ５７を備えている。磁石５１は、永久磁石、電磁石または超伝導磁石で構成され、空間的に均一かつ時間変動のない高安定度な磁場を発生させる。サンプル管５５は、試料を保持する管である。プローブ５７は一体型で構成され、プローブ５７内には、試料が入っている部分が磁石５１の磁場の中心部に位置するように、サンプル管５５の支持部が磁石内に設けられている。そして、サンプル管５５の外側に送信コイル、受信コイルが設けられている。プローブ５７は、高周波発振器に接続され、パルスを発信することで試料を励起し、ＦＩＤ信号を検出する。
【００２５】
（２−３．特性評価装置の構成）
図１（ｂ）は、特性評価装置１００の構成を示すブロック図である。図１（ｂ）に示すように、特性評価装置１００は、入力部１１０、データ格納部１２０、スペクトログラム算出部１３０、スペクトログラム抽出部１４０、変換部１５０、パラメータ管理部１６０、属性識別部１７０および出力部１８０を備えており、生体試料からのＦＩＤ信号を解析し、生体試料の特性を評価できる。また、後述のように生体試料の属性を識別することも可能になっている。
【００２６】
入力部１１０は、ＮＭＲ装置５０で取得されたＦＩＤ信号の入力を受け付ける。入力されるＦＩＤ信号のデータは、ＮＭＲ装置５０から接続線または無線通信を介して特性評価装置１００に直接入力されてもよいし、記憶媒体を介して入力されてもよい。
【００２７】
データ格納部１２０は、取得されたＦＩＤ信号を格納する。データ格納部１２０は、入力されたＦＩＤ信号のうち属性が分かっている既知生体試料については、ＦＩＤ信号と属性とを対応づけて管理する。
【００２８】
スペクトログラム算出部１３０は、解析しようとするＦＩＤ信号を読み出し、読み出されたＦＩＤ信号を時間周波数解析する。時間周波数解析は、生体試料のそれぞれに由来するＦＩＤ信号の全体にわたって短時間周波数解析を繰り返し、各ＦＩＤ信号のスペクトログラムを算出する。ＦＩＤ信号を複素フーリエ変換することで短時間フーリエ変換を行なうことが好ましい。具体的には、ＦＩＤ信号の実部と虚部とを分割して複素行列を生成し、複素行列に対し、短時間フーリエ変換を実行すればよい。ウェーブレット変換などを用いてもよい。
【００２９】
このようにして、スペクトログラム算出部１３０は、ＦＩＤ信号を多変量データ（例えば、パワースペクトルデータまたはスペクトログラムデータ）に変換することができる。そして、生体試料についてのスペクトログラム画像も作成できる。
【００３０】
スペクトログラム抽出部１４０は、指定された周波数範囲のスペクトログラムデータを抽出する。算出されたスペクトログラムにおいて、軽水の共鳴周波数を基準として、−１４００Ｈｚ以上１４００Ｈｚ以下の範囲内を指定し、スペクトログラムデータを抽出するのが好ましい。生体試料の重要な情報は、基準値から±１４００Ｈｚ以下に含まれているため、情報を絞って効率的に特性を評価できる。
【００３１】
変換部１５０は、多変量解析部１５１、スコア算出部１５５および識別基準生成部１５７を備え、複数の生体試料について時間周波数解析で得られたデータ（スペクトログラムの数値列データ）を多変量解析し、属性の特徴が表れるスコアに変換する。そして、スコアへの変換に用いた合成変量を特定するとともに、属性によるデータ識別の識別基準を生成する。これにより、属性が未知の同種の試料について属性に応じたグループ分けが可能になる。
【００３２】
多変量解析部１５１は、既知生体試料の多変量データに対して多変量解析（主成分分析、ＰＬＳ判別分析（ＰＬＳ−ＤＡ）、ＳＩＭＣＡ法等）を行なって、試料の多変量データを試料が有する属性毎のデータ群に分離させる合成変量を生成する。生成される合成変量の数は特に制限されないが、二つの合成変量を生成することが好ましい。
【００３３】
なお、多変量解析部１５１は、既知生体試料の多変量データを比較し、例えば属性間で差がある変量のうちのいくつかをあらかじめ合成し、その後に多変量解析を行なうことによって合成変量を生成するようにしてもよい。また、多変量解析を用いてデータの次元圧縮や集約を行なってもよい。
【００３４】
スコア算出部１５５は、各試料の多変量データおよび合成変量に基づいて多変量データのスコアを算出する。なお、スコアには、多変量データを二つの合成変量を用いて表現したデータ（例えば、ベクトルや座標）も含まれる。多変量解析部１５１で得られた合成変量を用いることでスコアを属性のグループ毎に分離することができる。
【００３５】
識別基準生成部１５７は、グループ分けされた既知生体試料のスコアに基づいて識別基準を生成する。例えば、識別基準生成部１５７は、属性毎の既知生体試料の多変量データのスコアに基づいて各属性を代表する代表値（平均、中心座標等）を求め、求めた各属性の代表値を識別基準として選択できる。その結果、未知の生体試料について生体の診断を容易に行なうことができる。
【００３６】
パラメータ管理部１６０は、所定の合成変量および識別基準を管理する。所定の合成変量および識別基準は、特定の属性（例えば乳がんの罹患）を識別するために、予め特性評価装置１００で生成されたものを利用できる。例えば、特性評価装置１００で血清を用いて乳がんの罹患の有無を分離するのに適した合成変量および識別基準を生成できる。特性評価装置１００には、得られた合成変量および識別基準を入力しておくことで、パラメータ管理部１６０でデータ管理でき変換部１５０で使用可能になる。
【００３７】
属性識別部１７０は、パラメータ管理部１６０で管理される所定の識別基準を読み出し、被検生体試料のスコアと識別基準とを比較して、その比較結果に基づいて被検生体試料の属性を識別する。被検生体試料の多変量データのスコアがいずれの属性を代表する代表値に最も近いかにより被検生体試料の属性を識別してもよい。なお、識別結果には属性不明という判断も含まれる。
【００３８】
なお、変換部１５０から属性識別部１７０までの各部は別体で構成されてもよい。この場合、属性識別のための装置には、被検生体試料の属性を識別する際にまたは事前に、合成変量および識別基準が入力される。
【００３９】
出力部１８０は、スペクトログラムデータを用いた生体試料の特性を出力する。例えば、算出されたスペクトログラムの数値列データまたは算出されたスペクトログラムから作成されたスペクトログラム画像を出力できる。また、分離された生体試料のスコアの分布を出力することもできる。出力部１８０は、スコア算出に用いた合成変量、グループ分けの識別基準やグループ分けの分離の評価結果を出力してもよい。また、被検生体試料の属性の識別結果を出力することもできる。出力は、例えばディスプレイへの表示により行なうことができる。
【００４０】
［３．特性評価方法］
上記の特性評価システム１０を用いて、生体試料の特性を評価する方法を説明する。図２は、特性評価方法を示すフローチャートである。図２のステップＳ１０１〜Ｓ１０５に示すように、生体試料の特性評価は、試料の準備、ＮＭＲ装置の設定、ＮＭＲ測定およびデータの解析（スペクトログラムデータの算出および特性の評価）の手順で行なうことができる。
【００４１】
（３−１．試料の準備）
まず、被検体から純粋な生体試料（純粋試料）を採取して生体試料を準備する。工数を省く観点から生体試料は、被検体から採取された純粋試料そのものであることが好ましいが、純粋試料に重水を混合して純粋試料の体積濃度が０．５％以上１００％未満に調整された試料であってもよい。このように濃度を０．５％以上にするため、物質間の距離が離れすぎず、相互作用を検出できる。
【００４２】
（３−２．ＮＭＲ装置の設定およびＮＭＲ測定）
得られた生体試料を重水素化水（重水）と混合し、サンプル管５５に注入し、ＮＭＲ装置５０に設置する。そして、生体試料内に存在する軽水のうちの自由水に由来するプロトンの共鳴周波数を観測中心としてＮＭＲ装置５０を設定する。生体試料にかける磁場を固定してパルスを発信し、生体試料に由来するＦＩＤ信号（観測信号）を取得する（１Ｈ−ＮＭＲ計測）。このようにして取得された生体試料に由来するＦＩＤ信号は、そのままの形（すなわち、ＲＡＷ形式）で保存できる。
【００４３】
ＦＩＤ信号は、連続的に静磁場強度または電磁波周波数を掃引する連続波法ではなく、シングルパルス法の応答信号として取得することが好ましい。これにより、不要な情報を省いて必要な情報を効率的に得ることができる。また、ダンテ（ＤＡＮＴＥ：delays alternating with nutation for tailored excitation）パルス法により、自由水のプロトンに由来する共鳴信号を抑制することが好ましい。一連の短いＲＦパルスを照射することによって、複数の狭帯域を励起することで、自由水のプロトンに由来する共鳴信号を抑制できる。
【００４４】
（３−３．データの解析）
上記のようにして得られたＦＩＤ信号は、特性評価装置１００により解析できる。ＦＩＤ信号は特性評価装置１００に入力され、格納される。そして、特性評価装置１００は、生体試料から得られた各ＦＩＤ信号の一つを特定し、特定されたＦＩＤ信号を読み出して時間周波数解析する。
【００４５】
時間周波数解析は、ＦＩＤ信号全体にわたって短時間周波数解析を繰り返すことにより、スペクトログラムを算出する。短時間周波数解析は、時間周波数信号などの複合信号を窓関数に通して、周波数スペクトルを計算することで行なわれる。具体的には、入力されたＦＩＤ信号に対し、窓関数を時間軸に沿ってシフトしながら窓関数による対象区間の切り出しおよびその波形のフーリエ変換からのパワースペクトルの算出の処理を繰り返す。短時間周波数解析によりＦＩＤ信号の周波数成分の時間変化を把握できる。
【００４６】
スペクトログラムの算出の際には、予め８８Ｈｚ以上２１Ｈｚ以下の周波数分解能に設定しておくことが好ましい。周波数分解能が８８Ｈｚ以上２１Ｈｚ以下で十分であれば、ＦＩＤ信号の取得に高磁場は不要となる。その場合、例えば、ＮＭＲ装置５０の磁石５１として永久磁石による磁場を用いることもできる。
【００４７】
スペクトログラムは、スペクトログラム画像や数値列データとして出力できる。例えば、スペクトログラム画像は、２次元グラフ（時間／周波数）上に、明るさまたは色で信号成分の強度（振幅）を表示したものであり、数値列データは、例えば２次元配列のデータである。
【００４８】
スペクトログラムにおいては、軽水の共鳴周波数を基準として、−１４００Ｈｚ以上１４００Ｈｚ以下の範囲内のデータを抽出して用いるのが好ましい。生体試料の重要な情報は、基準値から±１４００Ｈｚ以下に含まれているため、情報を絞って効率的に特性を評価でき、処理能力の低いＰＣでも短時間で処理することが可能になる。周波数分解能の設定（８８Ｈｚ以上２１Ｈｚ以下）に加えて、周波数帯域の限定（−１４００Ｈｚ以上１４００Ｈｚ以下）により、試算によればデータ数として５０％以上の削減が可能になる。このようにして試料のＦＩＤ信号の解析結果である膨大なデータを半減させるとともに、診断の目的を達成できる。
【００４９】
特性評価装置１００から出力されるスペクトログラムの数値列データやスペクトログラム画像に基づいて、例えば、周波数軸では、生体試料中に含まれる物質の種類や物質間の相互作用などに関する情報が得られる。また、時間軸では、生体試料全体の物性に加えて、物質間の相互作用に関する情報が得られる。スペクトログラム画像では、各ポイントの信号強度の相違を「色相」で表示することにより、各時間における周波数の信号強度の相違も容易に把握できる。
【００５０】
さらに、スペクトログラムの数値列データやスペクトログラム画像を解析することによって、生体試料の特性を評価することが可能である。スペクトログラムの数値列データやスペクトル画像は多変量解析に用いられる。
【００５１】
ＦＩＤ信号のスペクトログラム（数値列データやスペクトログラム画像）およびその解析結果の少なくとも一方は、生体試料同士の類似性を評価する基準となる。例えば、属性区分の不明な生体試料のスペクトログラムの解析により、その属性区分を設定できる。また、所定の分類基準に対して新たな属性区分の設定（再設定）も可能である。
【００５２】
［４．属性識別方法］
属性が不明な被検生体試料の属性の識別は、被検生体試料についてのスペクトログラムと、既知生体試料についてのスペクトログラムまたはこれに基づく指標とを比較することで行なうことができる。
【００５３】
まず、属性の明らかな複数の試料（既知生体試料）について各々ＮＭＲ計測を行ない、得られた各ＦＩＤ信号を処理（例えば、パターン認識）して評価する。例えば、属性が分かっている既知生体試料Ｌ１〜Ｌｎの特徴を抽出し、抽出された特徴を属性毎にグループ化し、グループ化された属性毎の既知生体試料の特徴に基づいて識別基準を生成する。この場合において、識別基準には、同じ属性の既知生体試料同士が有する共通の特徴が含まれる。例えば、特定の属性（例えば乳がん罹患）の人体から生体試料（例えば血清）を採取する。
【００５４】
そして、複数の既知生体試料についてのスペクトログラムの数値列データに対して多変量解析を行ない、複数の既知生体試料についてのスペクトログラムの数値列データを、属性毎のデータ群に分離させるための合成変量を作成する。多変量解析は、例えば、主成分分析、ＰＬＳ判別分析（ＰＬＳ−ＤＡ）、ＳＩＭＣＡ法、ＳＶＭ（Support Vector Machine）法などである。
【００５５】
次に、複数の既知生体試料のそれぞれについて、スペクトログラムの数値列データのスコアを算出する。そして、複数の既知生体試料ついての特徴量に基づいて識別基準を設定する。具体的には、算出された複数の既知生体試料のそれぞれについてのスコアを属性毎にグループ化する。
【００５６】
スコアのデータをグループ分けできた場合には、試料の属性をグループ分けの識別基準にできる。なお、「同種」とは、例えば血清の試料に対して血清の試料というように同じ種類の試料であることを指す。「属性」とは、例えば、乳がんに罹っているか否かというように試料の採取元が属する分類を指す。識別基準は、数値であってもよいし、図や表で示されたものであってもよい。
【００５７】
一方、属性の未知な被検生体試料について、既知生体試料のデータ分離をしたときと同様の特徴抽出を行なう。そして、被検生体試料の特徴を上記の識別基準と比較することによって被検生体試料の属性を識別する。例えば、被検生体試料Ｌ０から得られたＦＩＤ信号を識別基準と対比させるための特徴抽出処理することによって被検生体試料Ｌ０の特徴を抽出する。そして、得られた特徴を識別基準と比較して被検生体試料Ｌ０の属性を判断する。例えば、抽出された被検生体試料Ｌ０の特徴が各属性に対応する特徴または各属性を代表する特徴のいずれに最も近いかを判断することによって被検生体試料Ｌ０の属性を識別できる。
【００５８】
まず、被検生体試料から得られたＦＩＤ信号を特定し、読み取る。そして、得られたＦＩＤ信号を時間周波数解析し、多変量データに変換する。所定の合成変量および識別基準のデータを読み出す。そして、算出された被検生体試料についての特徴量（合成変量値）と、設定された識別基準とを比較して被検生体試料の属性を識別する。具体的には、被検生体試料についての合成変量値が、属性毎に設定された識別基準のいずれに該当するか（含まれるか）を判断して被検生体試料の属性を識別する。
【００５９】
読み出した所定の合成変量を用いて被検生体試料の多変量データのスコアを算出する。算出された被検生体試料のスコアと所定の識別基準とを比較して被検生体試料の属性を識別する。例えば、合成変量を軸（Ｘ、Ｙ）とする座標平面上に、既知生体試料のスコアおよび被検生体試料のスコアがプロットされたスコアプロットを生成する。そして、被検生体試料の属性の識別結果と生成したスコアプロットとを出力できる。
【００６０】
［５．実施例］
（実施例１（アルツハイマー型認知症））
アルツハイマー型認知症の患者および健常高齢者の属性識別が可能かの検証を行なった。まず、生体試料としてアルツハイマー型認知症の患者および健常高齢者のそれぞれから採取した血清６００μＬをそのまま（濃度１００％）用いた。この血清を５ｍｍ径ガラス製ＮＭＲサンプル管に入れ、ＮＭＲ装置（ＥＣＸ３００型、日本電子製）を用いて、一次元 ｐｒｏｔｏｎ（１Ｈ） ＮＭＲの測定を行なった。健常高齢者７つ、アルツハイマー型認知症患者７つで合計１４のサンプルを用いた。
【００６１】
また、測定の際には、生体試料中の軽水のうちの自由水に由来するプロトンの共鳴周波数を観測中心として設定し、シングルパルスで４００回積算した。その他の条件は、装置搭載の標準の条件にて行なった。図３は、測定で得られたＦＩＤ信号の一例を示すグラフである。
【００６２】
得られたＦＩＤ信号を数値化（ＡＳＣＩＩフォーマットに変換）し、ＬａｂＶＩＥＷ（登録商標）上で稼働するオリジナルのプログラムにて時間周波数解析してスペクトログラムを算出し、スペクトログラム画像と数値データとして出力した。スペクトログラムの算出は、８７．２Ｈｚおよび２１．８Ｈｚのそれぞれの周波数分解能で行なった。図４（ａ）、（ｂ）は、それぞれ周波数分解能８７．２Ｈｚ、２１．８Ｈｚで得られたスぺクトログラム画像を示す図である。スペクトログラム画像では、時間および周波数をそれぞれ横軸および縦軸にとったときの信号成分の強度（振幅）が明るさまたは色で表示されている。図４（ａ）、（ｂ）に示すように、生体試料の特性評価に重要な情報は、軽水の共鳴周波数を基準として、−１４００Ｈｚ以上１４００Ｈｚ以下の範囲内にあることが分かる。
【００６３】
スペクトログラムから得られたすべての数値データをひとつのデータシートにまとめ、アルツハイマー型認知症患者であるか否かの二つのグループに分けられるデータセットを作成した。市販の多変量解析ソフトウェア（Unscrambler X ver 10.5 、 CAMO Software AS）に搭載された属性識別用の解析アルゴリズム（ＰＬＳ−ＤＡ）を用いて、スコアプロットを行ない、生体試料が採取された人体がアルツハイマー型認知症患者か健常高齢者かを識別可能か検討した。なお、スコアプロットで示される座標軸Ｆａｃｔｏｒ−１，２は、属性分離のためにそれぞれのＰＬＳ−ＤＡで選ばれる座標軸であり、解析毎に異なっている。
【００６４】
図５は、生体試料濃度１００％、周波数分解能８７．２Ｈｚの場合のスコアプロットを示す図である。図５に示すように、上記の条件ではアルツハイマー型認知症患者のスコアは、座標の右上側、健常高齢者のスコアは、座標の左下側にプロットされ、属性を識別できることが実証された。例えば、座標０を通る負の傾きを有する直線を識別基準としてアルツハイマー型認知症患者か健常高齢者かを識別可能であることが分かる。
【００６５】
図６は、生体試料濃度１００％、周波数分解能２１．８Ｈｚの場合のスコアプロットを示す図である。この場合も、図６に示すように、アルツハイマー型認知症患者のスコアは、座標の右上側、健常高齢者のスコアは、座標の左下側にプロットされ、属性を識別できることが実証された。
【００６６】
次に、アルツハイマー型認知症の患者および健常高齢者のそれぞれから採取した血清に重水素化水（重水）を加え、濃度０．５％の生体試料を準備した。これを用い周波数分解能２１．８Ｈｚおよび８７．２Ｈｚでそれぞれ上記の例と同様にＮＭＲ測定、スペクトログラムの算出および多変量解析によるスコアプロットを行なった。図７は、生体試料濃度０．５％、周波数分解能８７．２Ｈｚの場合のスコアプロットを示す図である。図８は、生体試料濃度０．５％、周波数分解能２１．８Ｈｚの場合のスコアプロットを示す図である。いずれの周波数分解能においても、アルツハイマー型認知症患者のスコアは、座標の右側、健常高齢者のスコアは、座標の左側にプロットされ、属性を識別できることが実証された。
【００６７】
以上より、純粋試料の体積濃度が０．５％以上１００％以下の生体試料に対し、周波数分解能８８Ｈｚ以上２１Ｈｚ以下でＮＭＲ測定、スペクトログラムの算出および多変量解析によるスコアプロットを行なえば、属性識別が可能であることを確認できた。
【００６８】
（実施例２（膵がん））
非膵がん患者と膵がん患者との属性識別が可能かの検証を行なった。まず、生体試料として非膵がん患者および膵がん患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。スペクトログラムの算出は、周波数分解能４３．６Ｈｚで行なった。非膵がん患者７つ、膵がん患者７つで合計１４のサンプルを用いた。図９は、非膵がんｖｓ膵がんのスコアプロットを示す図である。非膵がん患者のスコアは、座標の右側、膵がん患者のスコアは、座標の左側にプロットされ、属性を識別できることが実証された。
【００６９】
（実施例３（乳がん））
非乳がん患者と乳がん患者との属性識別が可能かの検証を行なった。まず、生体試料として非乳がん患者および乳がん患者のそれぞれから採取した血清に重水を加え、濃度１６．７％の生体試料を準備した。それぞれ上記の例と同様にＮＭＲ測定、スペクトログラムの算出および多変量解析によるスコアプロットを行なった。非乳がん患者７つ、乳がん患者７つで合計１４のサンプルを用いた。スペクトログラムの算出は、周波数分解能４３．６Ｈｚで行なった。図１０は、非乳がんｖｓ乳がんのスコアプロットを示す図である。非乳がん患者のスコアは、座標の右側、乳がん患者のスコアは、座標の左側にプロットされ、属性を識別できることが実証された。
【００７０】
（実施例４（浸潤がん））
乳がん患者のうち非浸潤がん患者と浸潤がん患者との属性識別が可能かの検証を行なった。まず、生体試料として非浸潤がん患者および浸潤がん患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。非浸潤がん患者８つ、浸潤がん患者８つで合計１６のサンプルを用いた。スペクトログラムの算出は、周波数分解能４３．６Ｈｚで行なった。図１１は、非浸潤がんｖｓ浸潤がんのスコアプロットを示す図である。非浸潤がん患者のスコアは、座標の左下側、浸潤がん患者のスコアは、座標の右上側にプロットされ、属性を識別できることが実証された。
【００７１】
（実施例５（リンパ節転移））
乳がん患者のうちリンパ節転移ありの患者とリンパ節転移なしの患者の属性識別が可能かの検証を行なった。まず、生体試料としてリンパ節転移ありの患者およびリンパ節転移なしの患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。リンパ節転移あり６つ、リンパ節転移なし６つで合計１２のサンプルを用いた。スペクトログラムの算出は、周波数分解能４３．６Ｈｚで行なった。図１２は、リンパ節転移ありｖｓリンパ節転移なしのスコアプロットを示す図である。リンパ節転移ありのスコアは、座標の右側、リンパ節転移なしのスコアは、座標の左側にプロットされ、属性を識別できることが実証された。
【００７２】
（実施例６（浸潤がんのサブタイプ分類））
乳がんかつ浸潤がん患者についてがん細胞の増殖に関わるタンパク質のサブタイプ分類で属性識別が可能かの検証を行なった。サブタイプ分類は、ホルモン受容体がエストロゲン受容体[ER]が陽性か陰性か、HER2が陽性か陰性かの組み合わせで４つに分類した。まず、生体試料としてそれぞれの患者から血清を採取して重水を加え、濃度１６．７％の生体試料を準備した。これを用いそれぞれ上記の例と同様にＮＭＲ測定、スペクトログラムの算出および多変量解析によるスコアプロットを行なった。浸潤がん1(ER+Her2-)５つ、浸
潤がん2(ER+Her2+)４つ、浸潤がん3(ER-Her2+)５つ、浸潤がん4(ER-Her2-)５つの合計１９のサンプルを用いた。スペクトログラムの算出は、周波数分解能４３．６Ｈｚで行なった。
【００７３】
図１３は、各浸潤がんのサブタイプ分類のスコアプロットを示す図である。浸潤がん1(ER+Her2-)のスコアは、座標の右上側、浸潤がん2(ER+Her2+)のスコアは、座標の左上側、浸潤がん3(ER-Her2+)のスコアは、座標の右下側、浸潤がん4(ER-Her2-)のスコアは、座標の左下側にプロットされ、属性を識別できることが実証された。
【００７４】
（実施例７（眼病の種類））
眼病のうち、加齢黄斑変性症（AMD：age-relatedmaculardegeneration）患者とポリープ状脈絡膜血管症（PCV：polypoidalchoroidal vasculopath）患者の属性識別が可能かの検証を行なった。まず、生体試料として患者のそれぞれから採取した前房水に重水を加え、濃度２７．８％の生体試料を準備した。これを３ｍｍ径ガラス製ＮＭＲサンプル管に入れ上記の例と同様にＮＭＲ測定、スペクトログラムの算出および多変量解析によるスコアプロットを行なった。加齢黄斑変性症患者６つ、ポリープ状脈絡膜血管症患者６つで合計１２のサンプルを用いた。スペクトログラムの算出は、周波数分解能４３．６Ｈｚで行なった。図１４は、加齢黄斑変性症（ＡＭＤ）ｖｓポリープ状脈絡膜血管症（ＰＣＶ）のスコアプロットを示す図である。加齢黄斑変性症（典型ＡＭＤ）のスコアは、座標の右側、ポリープ状脈絡膜血管症（ＰＣＶ）のスコアは、座標の左側にプロットされ、属性を識別できることが実証された。
【００７５】
（実施例８（緑内障））
緑内障の患者のうち、Ｐｌａｔｅａｕ患者とＤＨ患者との属性識別が可能かの検証を行なった。Ｐｌａｔｅａｕとは、閉塞隅角機序の1つであるプラトー虹彩形状を有し、眼圧上昇が緑内障発症および進行の主なリスク因子と想定される症例（プラトー虹彩形状群）を指す。ＤＨは、視神経乳頭出血の既往を有し眼圧も経過中常に２０ｍｍＨｇ未満の正常眼圧であり、眼圧以外の因子も緑内障発症および進行に関与していると想定される症例（乳頭出血群）を指す。
【００７６】
まず、生体試料として患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。スペクトログラムの算出は、周波数分解能４３．６Ｈｚで行なった。図１５は、実施例８でＰｌａｔｅａｕ患者ｖｓＤＨ患者のスコアプロットを示す図である。Ｐｌａｔｅａｕ患者のスコアは、座標の左側、ＤＨ患者のスコアは、座標の右側にプロットされ、属性を識別できることが実証された。
【００７７】
（実施例９（脳腫瘍））
脳腫瘍患者のうち、神経鞘腫１例、髄膜腫３例からなる非グリオーマ系脳腫瘍の患者と、乏突起膠腫、退形成性星細胞腫、乏突起星細胞腫、びまん性星細胞腫各１例からなるグリオーマ系脳腫瘍の患者の属性識別が可能かの検証を行なった。まず、生体試料として患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。スペクトログラムの算出は、周波数分解能４３．６Ｈｚで行なった。図１６は、実施例９で非グリオーマ系脳腫瘍ｖｓグリオーマ系脳腫瘍のスコアプロットを示す図である。非グリオーマ系脳腫瘍の患者のスコアは、座標の左側、グリオーマ系脳腫瘍の患者のスコアは、座標の右側にプロットされ、属性を識別できることが実証された。
【００７８】
（実施例１０（脳疾患の種類））
脳疾患の患者のうち、非腫瘍性脳疾患の患者と、グリオーマ系脳腫瘍の患者と、非グリオーマ系脳腫瘍の患者の属性識別が可能かの検証を行なった。乏突起膠腫、退形成性星細胞腫、乏突起星細胞腫、びまん性星細胞腫各１例からなるグリオーマ系脳腫瘍４例、神経鞘腫１例、髄膜腫３例からなる非グリオーマ系脳腫瘍４例、もやもや病２例、線維性異形成１例、グリオーシス１例からなる非腫瘍性脳疾患４例の患者から採取した血清を使用した。
【００７９】
まず、生体試料として患者のそれぞれから採取した血清に重水を加え、濃度１６．７％の生体試料を準備した。これを用いそれぞれ上記の例と同様にＮＭＲ測定、スペクトログラムの算出および多変量解析によるスコアプロットを行なった。スペクトログラムの算出は、周波数分解能４３．６Ｈｚで行なった。図１７は、実施例１０で３種類の脳疾患のスコアプロットを示す図である。非腫瘍性脳疾患の患者のスコアは、座標の左上側、グリオーマ系脳腫瘍の患者のスコアは、座標の右側中央、非グリオーマ系脳腫瘍の患者のスコアは、座標の左下側にプロットされ、属性を識別できることが実証された。このような属性識別方法は、脳腫瘍血清診断のsurrogate marker となる可能性があり、脳腫瘍スクリーニング、再発監視に役立つと期待される。
【符号の説明】
【００８０】
１０    特性評価システム
５０    ＮＭＲ装置
５１    磁石
５５    サンプル管
５７    プローブ
１００  特性評価装置
１１０  入力部
１２０  データ格納部
１３０  スペクトログラム算出部
１４０  スペクトログラム抽出部
１５０  変換部
１５１  多変量解析部
１５５  スコア算出部
１５７  識別基準生成部
１６０  パラメータ管理部
１７０  属性識別部
１８０  出力部
【図１】
2019158868.tif 000003
【図２】
2019158868.tif 000004
【図３】
2019158868.tif 000005
【図４】
2019158868.tif 000006
【図５】
2019158868.tif 000007
【図６】
2019158868.tif 000008
【図７】
2019158868.tif 000009
【図８】
2019158868.tif 000010
【図９】
2019158868.tif 000011
【図１０】
2019158868.tif 000012
【図１１】
2019158868.tif 000013
【図１２】
2019158868.tif 000014
【図１３】
2019158868.tif 000015
【図１４】
2019158868.tif 000016
【図１５】
2019158868.tif 000017
【図１６】
2019158868.tif 000018
【図１７】
2019158868.tif 000019